(57)【要約】  該方法は、基地局がＵＥから送信された基地局にＲＢの配置を指示するためのメッセージを受信するステップと、基地局がＲＢの配置を完成する前にＵＥに当該メッセージの応答メッセージを送信するステップとを含む。本発明によると、関連技術においてＡＴＴＡＣＨ遅延が長い問題を解決し、ＡＴＴＡＣＨ遅延を短縮できる。
2015513282.tif 000002
【特許請求の範囲】
【請求項１】
基地局が、ユーザ機器ＵＥから送信された前記基地局に無線ベアラＲＢの配置を指示するためのメッセージを受信するステップと、
前記基地局が、前記ＲＢの配置を完成する前に前記ＵＥに前記メッセージの応答メッセージを送信するステップとを含む無線ベアラＲＢ配置方法。
【請求項２】
前記基地局のコントロールプレーンは、ＵＥから送信された前記基地局にＲＢの配置を指示するためのメッセージを受信し、
前記コントロールプレーンは、前記ＵＥに前記メッセージの応答メッセージを送信し、
前記基地局のコントロールプレーンは、前記基地局のユーザプレーンに前記ＲＢの配置を指示するための命令を前記ユーザプレーンに送信する請求項１に記載の方法。
【請求項３】
前記基地局に配置される前記ＲＢは、
シグナリング無線ベアラ１（ＳＲＢ１）、シグナリング無線ベアラ２（ＳＲＢ２）、データ無線ベアラＤＲＢの中の少なくとも一つを含む請求項１に記載の方法。
【請求項４】
前記ＲＢがＳＲＢ１である場合、前記基地局が受信した前記ＵＥから送信された前記メッセージは無線リソース制御ＲＲＣ接続要求メッセージであって、前記応答メッセージはＲＲＣ接続確立メッセージである請求項３に記載の方法。
【請求項５】
前記ＲＢがＳＲＢ２とＤＲＢである場合、前記基地局が受信した前記ＵＥから送信された前記メッセージはＵＥ能力メッセージであって、前記応答メッセージはＲＲＣ接続再配置メッセージである請求項３に記載の方法。
【請求項６】
前記基地局が前記ＲＢの配置を完成する前、前記ＵＥに前記メッセージの応答メッセージを送信した後、
前記基地局が前記ＲＢの配置に成功したか否かを判定することをさらに含み、
判定の結果が配置失敗である場合、前記基地局は、前記ＵＥから送信された前記メッセージを再び受信するための異常ロールバックを発する請求項１〜５のいずれか１項に記載の方法。
【請求項７】
前記基地局が前記ＲＢの配置に成功したか否かを判定することは、
前記基地局のコントロールプレーンが前記基地局のユーザプレーンからの前記ＲＢ配置の配置応答を受信することが失敗である場合、前記判定結果が配置失敗であると認めること、又は、
前記基地局のコントロールプレーンが予定の時間内に前記基地局のユーザプレーンからの前記ＲＢ配置の配置応答を受信できなかった場合、前記判定結果が配置失敗であると認めることを含む請求項６に記載の方法。
【請求項８】
基地局に位置される無線ベアラＲＢ配置装置であって、
ユーザ機器ＵＥから送信された前記基地局にＲＢの配置を指示するためのメッセージを受信する受信モジュールと、
前記ＲＢの配置を完成する前に前記ＵＥに前記メッセージの応答メッセージを送信する送信モジュールとを含む無線ベアラＲＢ配置装置。
【請求項９】
前記受信モジュールは、前記基地局のコントロールプレーンがＵＥから送信された前記基地局にＲＢの配置を指示するためのメッセージを受信するように設定され、
前記送信モジュールは、前記コントロールプレーンが前記ＵＥに前記メッセージの応答メッセージを送信するように設定され、
前記コントロールプレーンが前記基地局のユーザプレーンに前記ＲＢの配置を指示するための命令を前記ユーザプレーンに送信する第２の送信モジュールを更に含む請求項８に記載の装置。
【請求項１０】
前記ＲＢの配置に成功したか否かを判定する判定モジュールと、
前記判定モジュールによる判定結果が配置失敗である場合、前記ＵＥから送信された前記メッセージを再び受信するための異常ロールバックを発するロールバックモジュールとを更に含む請求項８又は９に記載の装置。
【発明の詳細な説明】
【技術分野】
【０００１】
本発明は、通信領域に関し、具体のに、無線ベアラ（Ｒａｄｉｏ  Ｂｅａｒｅｒ、ＲＢ）配置方法及び装置に関する。
【背景技術】
【０００２】
非認証遅延（例えば、付着（ＡＴＴＡＣＨ）遅延）は、事業者のサービス品質を評価する際の重要業績評価指標（Ｋｅｙ  Ｐｅｒｆｏｒｍａｎｃｅ  Ｉｎｄｉｃａｔｏｒ、ＫＰＩと略称）である。図１は、関連技術に係る長期進化型（Ｌｏｎｇ  Ｔｅｒｍ  Ｅｖｏｌｕｔｉｏｎ、ＬＴＥと略称）ＡＴＴＡＣＨ遅延の演算方法を示す図で、図１に示すように、プロトコルの規定により、ＡＴＴＡＣＨ遅延とはユーザ機器（Ｕｓｅｒ  Ｅｑｕｉｐｍｅｎｔ、ＵＥと略称）側によるランダムアクセスチャネルプリアンブル（ＲＡＣＨ  Ｐｒｅａｍｂｌｅ）を開始点とし、ＵＥによるＡＴＴＡＣＨ完成（ＡＴＴＡＣＨ  Ｃｏｍｐｌｅｔｅ）の送信を終了点とするその間の時間差のことを言う。図１に示すＡＴＴＡＣＨプロセスにネットワーク記憶技術（Ｎｅｔｗｏｒｋ  Ｓｔｏｒａｇｅ  Ｔｅｃｈｎｏｌｏｇｙ、ＮＡＳと略称）の認証を示されていなく、ＮＡＳ安全モードも示されていなく、ＵＥ能力照会が示されている。
【０００３】
しかし、現在のＡＴＴＡＣＨ遅延は長く、直接に事業者のＫＰＩ指標に影響を与えていて、その故、ユーザの体験度が低い。関連技術においてＡＴＴＡＣＨ遅延が長い問題について、未だに有効な解決案を提示していない。
【発明の概要】
【発明が解決しようとする課題】
【０００４】
本発明の実施例は、少なくとも関連技術におけるＡＴＴＡＣＨ遅延が長い問題を解決できる無線ベアラ配置方案を提供することをその目的とする。
【課題を解決するための手段】
【０００５】
本発明の実施例によると、基地局が、ＵＥから送信された前記基地局にＲＢの配置を指示するためのメッセージを受信するステップと、前記基地局が、前記ＲＢの配置を完成する前に前記ＵＥに前記メッセージの応答メッセージを送信するステップとを含むＲＢ配置方法を提供する。
【０００６】
前記基地局のコントロールプレーンが、ＵＥから送信された前記基地局にＲＢの配置を指示するためのメッセージを受信し、前記コントロールプレーンが、前記ＵＥに前記メッセージの応答メッセージを送信し、前記基地局のコントロールプレーンが、前記基地局のユーザプレーンに前記ＲＢの配置を指示するための命令を前記ユーザプレーンに送信することが好ましい。
【０００７】
前記基地局に配置される前記ＲＢは、シグナリング無線ベアラ１（Ｓｉｇｎａｌｌｉｎｇ  Ｒａｄｉｏ  Ｂｅａｒｅｒ１、ＳＲＢ１と略称）、シグナリング無線ベアラ２（Ｓｉｇｎａｌｌｉｎｇ  Ｒａｄｉｏ  Ｂｅａｒｅｒ２、ＳＲＢ２と略称）、データ無線ベアラ（Ｄａｔａ  Ｒａｄｉｏ  Ｂｅａｒｅｒ、ＤＲＢと略称）の中の少なくとも一つを含むことが好ましい。
【０００８】
前記ＲＢがＳＲＢ１である場合、前記基地局が受信した前記ＵＥから送信された前記メッセージはＲＲＣ接続要求メッセージであって、前記応答メッセージは無線リソース制御（Ｒａｄｉｏ  Ｒｅｓｏｕｒｃｅ  Ｃｏｎｔｒｏｌ、ＲＲＣと略称）接続確立メッセージであることが好ましい。
【０００９】
前記ＲＢがＳＲＢ２とＤＲＢである場合、前記基地局が受信した前記ＵＥから送信された前記メッセージはＵＥ能力メッセージであって、前記応答メッセージはＲＲＣ接続再配置メッセージであることが好ましい。
【００１０】
前記基地局が前記ＲＢの配置を完成する前、前記ＵＥに前記メッセージの応答メッセージを送信した後、前記基地局が前記ＲＢの配置に成功したか否かを判定することをさらに含み、判定の結果が配置失敗である場合、前記基地局が、前記ＵＥから送信された前記メッセージを再び受信するための異常ロールバックを発することが好ましい。
【００１１】
前記基地局が前記ＲＢの配置に成功したか否かを判定することは、前記基地局のコントロールプレーンが前記基地局のユーザプレーンからの前記ＲＢ配置の配置応答を受信することが失敗である場合、前記判定結果が配置失敗であると認めること、又は、前記基地局のコントロールプレーンが予定の時間内に前記基地局のユーザプレーンからの前記ＲＢ配置の配置応答を受信できなかった場合、前記判定結果が配置失敗であると認めることを含むことが好ましい。
【００１２】
本発明の他の実施例によると、基地局に位置されるＲＢ配置装置であって、ＵＥから送信された前記基地局にＲＢの配置を指示するためのメッセージを受信する受信モジュールと、前記ＲＢの配置を完成する前に前記ＵＥに前記メッセージの応答メッセージを送信する送信モジュールとを含むＲＢ配置装置を提供する。
【００１３】
前記受信モジュールが、前記基地局のコントロールプレーンがＵＥから送信された前記基地局にＲＢの配置を指示するためのメッセージを受信するように設定され、前記送信モジュールが、前記コントロールプレーンが前記ＵＥに前記メッセージの応答メッセージを送信するように設定され、前記装置が、前記コントロールプレーンが前記基地局のユーザプレーンに前記ＲＢの配置を指示するための命令を前記ユーザプレーンに送信する第２の送信モジュールを更に含むことが好ましい。
【００１４】
前記装置が、前記ＲＢの配置に成功したか否かを判定する判定モジュールと、前記判定モジュールによる判定結果が配置失敗である場合、前記ＵＥから送信された前記メッセージを再び受信するための異常ロールバックを発するロールバックモジュールとを更に含むことが好ましい。
【００１５】
本発明によると、基地局がＵＥから送信されたメッセージを受信し、ここで、当該メッセージは基地局に無線ベアラ（Ｒａｄｉｏ  Ｂｅａｒｅｒ、ＲＢと略称）の配置を指示するためのものであって、基地局がＲＢの配置を完成する前にＵＥに当該メッセージの応答メッセージを送信する。関連技術においてＡＴＴＡＣＨ遅延が長い問題を解決し、ＡＴＴＡＣＨ遅延を短縮できる。
【図面の簡単な説明】
【００１６】
ここで説明する図面は本発明を理解させるためのもので、本発明の一部を構成し、本発明における実施例と共に本発明を解釈し、本発明を不当に限定するのではない。
【図１】関連技術に係る長期進化ＡＴＴＡＣＨ遅延の演算方法を示す図である。
【図２】本発明の実施例に係る無線ベアラ配置方法を示すフローチャートである。
【図３】本発明の実施例に係る無線ベアラ配置装置の構造を示すブロック図である。
【図４】本発明の実施例に係る無線ベアラ配置装置の好適な構造を示すブロック図である。
【図５】本発明の実施例に係る無線ベアラ配置装置の好適な構造を示すブロック図２である。
【図６】本発明の好適な実施例１に係る正常プロセスを示す図である。
【図７】本発明の好適な実施例１に係る異常プロセス１を示す図である。
【図８】本発明の好適な実施例１に係る異常プロセス２を示す図である。
【図９】本発明の好適な実施例２に係る正常プロセスを示す図である。
【図１０】本発明の好適な実施例２に係る異常プロセス１を示す図である。
【図１１】本発明の好適な実施例２に係る異常プロセス２を示す図である。
【発明を実施するための形態】
【００１７】
以下、図面を参照しつつ実施例を結合して本発明を説明する。ここで、衝突しない限り、本願の実施例及び実施例に記載の特徴を互いに組み合わせることができる。
【００１８】
図１のフローチャートに示すように、ＡＴＴＡＣＨ中に、進化した基地局（ｅＮｏｄｅＢ、ＥＮＢと略称）はＲＢ(シグナリング無線ベアラ１（Ｓｉｇｎａｌｌｉｎｇ  Ｒａｄｉｏ  Ｂｅａｒｅｒ１、ＳＲＢ１と略称）と、ＳＲＢ２と、データ無線ベアラ（Ｄａｔａ  Ｒａｄｉｏ  Ｂｅａｒｅｒ、ＤＲＢと略称）とを含む)を確立する際、同期してＲＢ確立完成を待ってから後続のシグナリングプロセスを発し、つまり、ＲＢの配置とエアインタフェースシグナリングはシリアルプロセスで、ＲＢの配置完成を待ってからＵＥにエアインタフェースシグナリングを送信できる。当該形態はＡＴＴＡＣＨに一定の影響を与えていて、ユーザの体験度を低減する。
【００１９】
本実施例では無線ベアラＲＢ配置方法を提供し、図２は、本発明の実施例に係る無線ベアラ配置方法を示すフローチャートで、図２に示すように、当該方法は以下のステップを含む。
【００２０】
基地局は、ＵＥから送信されたメッセージを受信し、ここで、当該メッセージは基地局にＲＢの配置を指示するためのものである（ステップＳ２０２）。
【００２１】
基地局は、ＲＢの配置を完成する前にＵＥに当該メッセージの応答メッセージを送信する（ステップＳ２０４）。
【００２２】
本実施例において、上記ステップによって、基地局がＲＢの配置を完成する前にＵＥに応答メッセージを送信することによって、ＵＥが基地局によるＲＢの配置が完成していないと同時に後続のプロセスを行うことができ、関連技術における基地局がＲＢの配置を完成した後にＵＥに応答メッセージを送信する形態に比べ、ＵＥによる後続のプロセスと基地局によるＲＢの配置プロセスが並列処理され、関連技術においてＡＴＴＡＣＨ遅延が長い問題を解決し、ＡＴＴＡＣＨ遅延を短縮できる。さらに、事業者のＫＰＩ指数を改善できる。
【００２３】
基地局のコントロールプレーンがＵＥから送信された上記メッセージを受信し、その後、コントロールプレーンがＵＥに当該メッセージの応答メッセージを送信し、基地局のコントロールプレーンが基地局のユーザプレーンに命令を送信できることが好ましく、当該命令はユーザプレーンにＲＢの配置を指示するためのものである。なお、ＬＴＥシステムにおいて、基地局のＲＢの配置プロセスを基地局のユーザプレーンで行うことができ、ＵＥに応答メッセージを送信するプロセスを基地局のコントロールプレーンで行うことができるが、他のシステムにおいては、上記のＲＢの配置プロセス及びＵＥとの通信プロセスを必ず上述のプレーンで行うことではない。
【００２４】
基地局が配置したＲＢがＳＲＢ１であることができれば、ＳＲＢ２とＤＲＢであることもでき、又は他のＲＢであることもできる。例えば、当該ＲＢがＳＲＢ１である場合、基地局が受信するＵＥから送信されたメッセージは無線リソース制御（Ｒａｄｉｏ  Ｒｅｓｏｕｒｃｅ  Ｃｏｎｔｒｏｌ、ＲＲＣと略称）接続要求メッセージ（ＲｒｃＣｏｎｎｅｃｔｉｏｎＲｅｑｕｅｓｔ）で、応答メッセージはＲＲＣ接続確立メッセージ（ＲｒｃＣｏｎｎｅｃｔｉｏｎＳｅｔｕｐ）である。また、例えば、当該ＲＢがＳＲＢ２とＤＲＢ（ＳＲＢ２＆ＤＲＢ）である場合、基地局が受信するＵＥから送信されたメッセージはＵＥ能力メッセージ（ＵｅＣａｐａｂｉｌｉｔｙＩｎｆｏｒｍａｔｉｏｎ）で、応答メッセージはＲＲＣ接続再配置メッセージ（ＲｒｃＣｏｎｎｅｃｔｉｏｎＲｅｃｏｎｆｉｇ）である。
【００２５】
基地局がＲＢを配置する際に配置失敗することもあるので、好適な実施形態として、ステップＳ２０４の後に、基地局がＲＢの配置に成功したか否かを判定でき、判定結果が配置失敗である場合、基地局が異常ロールバックを発することができ、ここで、当該異常ロールバックは基地局がＵＥから送信されたメッセージを再び受信するためのもので、例えば、ステップＳ２０２を再び発するまでにロールバックすることができる。当該形態によると、方案の信頼性を向上できる。
【００２６】
実施中に、基地局がＲＢの配置の失敗を判定する方式はさまざまであるが、本実施例において、二つの好適な実施形態を提供する。形態１：基地局のコントロールプレーンが基地局のユーザプレーンからのＲＢ配置の配置応答を受信することが失敗である場合、判定結果が配置失敗である認める。形態２：基地局のコントロールプレーンが予定の時間内に基地局のユーザプレーンからのＲＢ配置の配置応答を受信できなかった場合、判定結果が配置失敗であると認める。当該形態によると、異常ロールバック操作の柔軟性を向上できる。
【００２７】
上記の方法に対応して、本実施例において無線ベアラＲＢ配置装置を提供し、基地局に位置される無線ベアラＲＢ配置装置であって、上述の実施例及び好適な実施形態を実現でき、既に説明した内容の説明は省略する。以下で利用されるように、「モジュール」という用語は、予定の機能を実現できるソフトウェア及び/又はハードウェアの組合せである。以下の実施例で説明する装置をソフトウェアで実現することが好ましいが、ハードウェア又はソフトウェアとハードウェアとの組合せにより実現することも可能であり、かつ構想される。
【００２８】
図３は、本発明の実施例に係る無線ベアラ配置装置の構造を示すブロック図で、図３に示すように、当該装置は、受信モジュール３２と送信モジュール３４を含み、以下、各モジュールを詳しく説明する。受信モジュール３２は、ＵＥから送信されたメッセージを受信し、ここで、当該メッセージは基地局に無線ベアラの配置を指示するためのものである。送信モジュール３４は、受信モジュール３２に接続され、ＲＢの配置を完成する前にＵＥに当該メッセージの応答メッセージを送信する。
【００２９】
本実施例において、上記装置によって、基地局がＲＢの配置を完成する前にＵＥに応答メッセージを送信することによって、ＵＥが基地局によるＲＢの配置が完成していないと同時に後続のプロセスを行うことができ、関連技術における基地局がＲＢの配置を完成した後にＵＥに応答メッセージを送信する形態に比べ、ＵＥによる後続のプロセスと基地局によるＲＢの配置プロセスが並列処理され、関連技術においてＡＴＴＡＣＨ遅延が長い問題を解決し、ＡＴＴＡＣＨ遅延を短縮できる。さらに、事業者のＫＰＩ指数を改善できる。
【００３０】
図４は、本発明の実施例に係る無線ベアラ配置装置の好適な構造を示すブロック図１で、図４に示すように、受信モジュール３２はさらに、基地局のコントロールプレーンがＵＥから送信されたメッセージを受信するように設定でき、ここで、当該メッセージは基地局にＲＢの配置を指示するためのものであって、また、送信モジュール３４はさらに、コントロールプレーンがＵＥにメッセージの応答メッセージを送信するように設定でき、上記装置は、送信モジュール３４に接続され、コントロールプレーンが基地局のユーザプレーンに命令を送信する第２の送信モジュール４２を更に含んでもよく、当該命令はユーザプレーンにＲＢの配置を指示するためのものである。
【００３１】
図５は、本発明の実施例に係る無線ベアラ配置装置の好適な構造を示すブロック図２で、図５に示すように、当該装置はさらに、送信モジュール３４に接続され、ＲＢの配置に成功したか否かを判定する判定モジュール５２と、判定モジュール５２に接続され、判定モジュール５２による判定結果が配置失敗である場合、異常ロールバックを発するロールバックモジュール５４と、を含み、ここで、当該異常ロールバックはＵＥから送信された上記メッセージを再び受信するためのものである。
【００３２】
以下、好適な実施例を結合して説明し、以下の好適な実施例は上記の実施例及びその好適な実施形態を結合している。
【００３３】
以下の好適な実施例はアクセス遅延を低減できる方法及び装置を提供する。ＬＴＥシステムにおいてＲＢ(Ｒａｄｉｏ  ｂｅａｒｅｒ)配置と業務シグナリングをシリアルからパラレルに変更することによって、アクセス遅延を低減し、ユーザ体験を向上させる。
【００３４】
以下の好適な実施例において、ＥＮＢが、ＵＥのＲＢ配置の必要があるに関連するシグナリングを受信した場合、ＥＮＢはＲＢ配置の完成を待つ必要がなく、直接に後続のシグナリングプロセスを発することによって、ＲＢ配置に同期して待つことによるＡＴＴＡＣＨ遅延が大き過ぎる問題を解決し、ユーザの体験度を向上させる。
【００３５】
好適な実施例１
図６は、本発明の好適な実施例１に係る正常プロセスを示す図で、図６に示すように、当該正常プロセスは以下のステップを含む。
【００３６】
ＥＮＢのコントロールプレーンは、ＵＥがアップリンク共通制御チャネル（ＵｐＬｉｎｋ  Ｃｏｍｍｏｎ  Ｃｏｎｔｒｏｌ  Ｃｈａｎｎｅｌ、ＵＬＣＣＣＨと略称）で送信したＲｒｃＣｏｎｎｅｃｔｉｏｎＲｅｑｕｅstメッセージを受信する（ステップＳ６０２）。
【００３７】
ＥＮＢのコントロールプレーンは、ダウンリンク共通制御チャネル（ＤｏｗｎＬｉｎｋ  Ｃｏｍｍｏｎ  Ｃｏｎｔｒｏｌ  Ｃｈａｎｎｅｌ、ＤＬＣＣＣＨと略称）を介してＵＥにＲｒｃＣｏｎｎｅｃｔｉｏｎＳｅｔｕｐメッセージを送信する（ステップＳ６０４）。
【００３８】
ＥＮＢのコントロールプレーンは、ユーザプレーンにＳＲＢ１を配置する（ステップＳ６０６）。
【００３９】
ユーザプレーンへの配置を完成した後、コントロールプレーンにＳＲＢ１配置完成メッセージを返信する（ステップＳ６０８）。
【００４０】
ＥＮＢのコントロールプレーンは、ＵＥがＵＬＣＣＣＨで送信したＲＲＣ接続確立完成（ＲｒｃＣｏｎｎｅｃｔｉｏｎＳｅｔｕｐＣｏｍｐｌｅｔｅ）メッセージを受信した（ステップＳ６１０）。
【００４１】
後続のプロセスを行う（ステップＳ６１２）。
【００４２】
図７は、本発明の好適な実施例１に係る異常プロセス１を示す図で、図７に示すように、当該異常プロセスは以下のステップを含む。
【００４３】
ＥＮＢのコントロールプレーンは、ＵＥがＵＬＣＣＣＨで送信したＲｒｃＣｏｎｎｅｃｔｉｏｎＲｅｑｕｅｓｔメッセージを受信した（ステップＳ７０２）。
【００４４】
ＥＮＢのコントロールプレーンは、ＤＬＣＣＣＨを介してＵＥにＲｒｃＣｏｎｎｅｃｔｉｏｎＳｅｔｕｐメッセージを送信する（ステップＳ７０４）。
【００４５】
ＥＮＢのコントロールプレーンはユーザプレーンにＳＲＢ１を配置する（ステップＳ７０６）。
【００４６】
ユーザプレーンへの配置を完成した後、コントロールプレーンにＳＲＢ１配置失敗メッセージを返信する（ステップＳ７０８）。
【００４７】
ＥＮＢはロールバックを発する（ステップＳ７１０）。
【００４８】
図８は、本発明の好適な実施例１に係る異常プロセス２を示す図で、図８に示すように、当該異常プロセスは以下のステップを含む。
【００４９】
ＥＮＢのコントロールプレーンは、ＵＥがＵＬＣＣＣＨで送信したＲｒｃＣｏｎｎｅｃｔｉｏｎＲｅｑｕｅｓｔメッセージを受信した（ステップＳ８０２）。
【００５０】
ＥＮＢのコントロールプレーンは、ＤＬＣＣＣＨを介してＵＥにＲｒｃＣｏｎｎｅｃｔｉｏｎＳｅｔｕｐメッセージを送信し、応答待ちタイマー１を設置する（ステップＳ８０４）。
【００５１】
ＥＮＢのコントロールプレーンは、ユーザプレーンにＳＲＢ１を配置する（ステップＳ８０６）。
【００５２】
ユーザプレーンへの配置を完成した後、コントロールプレーンにＳＲＢ１配置完成メッセージを返信する（ステップＳ８０８）。
【００５３】
コントロールプレーンのタイマー１がタイムアウトし、異常ロールバックプロセスを発してリソースをリリースする（ステップＳ８１０）。
【００５４】
好適な実施例２
図９は、本発明の好適な実施例２に係る正常プロセスを示す図で、図９に示すように、当該正常プロセスは以下のステップを含む。
【００５５】
ＥＮＢのコントロールプレーンが、ＵＥがＵＬＣＣＣＨで送信したＲｒｃＣｏｎｎｅｃｔｉｏｎＲｅｑｕｅｓｔメッセージを受信した後、ＥＮＢのコントロールプレーンは、ＵＥがＵＬＤＣＣＨで送信したＵＥ能力メッセージ（ＵｅＣａｐａｂｉｌｉｔｙＩｎｆｏｒｍａｔｉｏｎ）メッセージを受信した（ステップＳ９０２）。
【００５６】
ＥＮＢのコントロールプレーンは、ＤＬＣＣＣＨを介してＵＥにＲＲＣ接続再配置（ＲｒｃＣｏｎｎｅｃｔｉｏｎＲｅｃｏｎｆｉｇ）メッセージを送信する（ステップＳ９０４）。
【００５７】
ＥＮＢのコントロールプレーンは、ユーザプレーンにＳＲＢ２&ＤＲＢを配置する（ステップＳ９０６）。
【００５８】
ユーザプレーンへの配置を完成した後、コントロールプレーンに配置完成メッセージを返信する（ステップＳ９０８）。
【００５９】
ＥＮＢのコントロールプレーンは、ＵＥがＵＬＣＣＣＨで送信したＲｒｃＣｏｎｎｅｃｔｉｏｎＲｅｃｏｎｆｉｇＣｏｍｐｌｅｔｅメッセージを受信した（ステップＳ９１０）。
【００６０】
後続のプロセスを行う（ステップＳ９１２）。
【００６１】
図１０は、本発明の好適な実施例２に係る異常プロセス１を示す図で、図１０に示すように、当該異常プロセスは以下のステップを含む。
【００６２】
ＥＮＢのコントロールプレーンは、ＵＥがＵＬＤＣＣＨで送信したＵｅＣａｐａｂｉｌｉｔｙＩｎｆｏｒｍａｔｉｏｎメッセージを受信した（ステップＳ１００２）。
【００６３】
ＥＮＢのコントロールプレーンは、ＤＬＣＣＣＨを介してＵＥにＲｒｃＣｏｎｎｅｃｔｉｏｎＲｅｃｏｎｆｉｇメッセージを送信する（ステップＳ１００４）。
【００６４】
ＥＮＢのコントロールプレーンは、ユーザプレーンにＳＲＢ２&ＤＲＢを配置する（ステップＳ１００６）。
【００６５】
ユーザプレーンへの配置を完成した後、コントロールプレーンに配置失敗メッセージを返信する（ステップＳ１００８）。
【００６６】
ＥＮＢは異常ロールバックを発し、その後の再配置完成メッセージを処理しない（ステップＳ１０１０）。
【００６７】
図１１は、本発明の好適な実施例２に係る異常プロセス２を示す図で、図１１に示すように、当該異常プロセスは以下のステップを含む。
【００６８】
ＥＮＢのコントロールプレーンは、ＵＥがＵＬＤＣＣＨで送信したＵｅＣａｐａｂｉｌｉｔｙＩｎｆｏｒｍａｔｉｏｎメッセージを受信した（ステップＳ１１０２）。
【００６９】
ＥＮＢのコントロールプレーンは、ＤＬＣＣＣＨを介してＵＥにＲｒｃＣｏｎｎｅｃｔｉｏｎＲｅｃｏｎｆｉｇメッセージを送信する（ステップＳ１１０４）。
【００７０】
ＥＮＢのコントロールプレーンは、ユーザプレーンにＳＲＢ２&ＤＲＢを配置する（ステップＳ１１０６）。
【００７１】
ユーザプレーンへの配置を完成した後、コントロールプレーンに配置完成メッセージを返信する（ステップＳ１１０８）。
【００７２】
ＥＮＢのＲＲＣ確立タイマー１がタイムアウトし、ＥＮＢはロールバックを発してリソースをリリースする（ステップＳ１１１０）。
【００７３】
他の実施例において、上記実施例及び好適な実施例に記載の技術案を実施するソフトウェアを提供する。
【００７４】
他の実施例において、上記ソフトウェアを記憶する記憶媒体を提供し、当該記憶媒体は光ディスク、フロッピ―（登録商標）ディスク、ハ―ドディスク、消去可能メモリ等を含むが、これらに限定されることはない。
【００７５】
上述のように、本実施例において、基地局がＲＢの配置を完成する前にＵＥに応答メッセージを送信することによって、ＵＥが基地局によるＲＢの配置が完成していないと同時に後続のプロセスを行うことができ、関連技術における基地局がＲＢの配置を完成した後にＵＥに応答メッセージを送信する形態に比べ、ＵＥによる後続のプロセスと基地局によるＲＢの配置プロセスが並列処理され、関連技術においてＡＴＴＡＣＨ遅延が長い問題を解決し、ＡＴＴＡＣＨ遅延を短縮できる。さらに、事業者のＫＰＩ指数を改善できる
【００７６】
当業者にとって、上述の本発明の各モジュール又は各ステップは汎用計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、且つ、ある場合、ここと異なる順番で示されたまたは説明されたステップを実行でき、又は夫々集積回路モジュールに製作し、又はそれらにおける複数のモジュール又はステップを単独の集積回路ブロックに製作して実現することができることは明らかなことである。このように、本発明は如何なる特定のハードウェアとソフトウェアの結合にも限定されない。
【００７７】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2015513282.tif 000003
【図２】
2015513282.tif 000004
【図３】
2015513282.tif 000005
【図４】
2015513282.tif 000006
【図５】
2015513282.tif 000007
【図６】
2015513282.tif 000008
【図７】
2015513282.tif 000009
【図８】
2015513282.tif 000010
【図９】
2015513282.tif 000011
【図１０】
2015513282.tif 000012
【図１１】
2015513282.tif 000013
【手続補正書】
【提出日】平成26年10月15日(2014.10.15)
【手続補正１】
【補正対象書類名】図面
【補正対象項目名】図９
【補正方法】変更
【補正の内容】
【図９】
2015513282.tif 000014
【手続補正２】
【補正対象書類名】図面
【補正対象項目名】図１０
【補正方法】変更
【補正の内容】
【図１０】
2015513282.tif 000015
【手続補正３】
【補正対象書類名】図面
【補正対象項目名】図１１
【補正方法】変更
【補正の内容】
【図１１】
2015513282.tif 000016
【国際調査報告】
2015513282.tif 000017
2015513282.tif 000018
2015513282.tif 000019
2015513282.tif 000020
2015513282.tif 000021
2015513282.tif 000022
2015513282.tif 000023
2015513282.tif 000024